(57)【特許請求の範囲】
【請求項１】
無線周波数（ＲＦ）データパケット信号送受信機の被試験デバイス（ＤＵＴ）を試験する方法であって、
テスタデータパケット信号をテスタから送信するステップであって、前記テスタデータパケット信号は、前記テスタから送信されたときに、互いに対して高い方の公称送信テスタデータパケット信号電力および低い方の公称送信テスタデータパケット信号電力の対応するインターバルを有する交互部分を備えた複数のテスタデータパケットを含むステップと、
ＤＵＴデータパケット信号をＤＵＴから前記テスタが受信するステップであって、前記ＤＵＴデータパケット信号は、前記複数のテスタデータパケットの前記交互部分の各１つに関係する部分を備えた複数のＤＵＴデータパケットを含み、
高い方の公称送信テスタデータパケット信号電力を有する前記複数のテスタデータパケットの前記交互部分に対する前記テスタが受信した複数のＤＵＴデータパケットの前記部分の第１の比率と、
低い方の公称送信テスタデータパケット信号電力を有する前記複数のテスタデータパケットの前記交互部分に対する前記テスタが受信した複数のＤＵＴデータパケットの前記部分の第２の比率と、
前記第１の比率と前記第２の比率との間の比率差と
が規定されるステップと、
前記複数のテスタデータパケットの前記交互部分と前記複数のＤＵＴデータパケットの前記部分との前記送信および受信を繰り返すステップと、
前記テスタが受信した複数のＤＵＴデータパケットであって、前記複数のテスタデータパケットの前記低い方の公称送信テスタデータパケット信号電力を有する前記交互部分に関係する複数のＤＵＴデータパケットの累積カウントを維持するステップと
を含み、
前記累積カウントは、少なくとも
前記第１の比率が１に等しいこと、
前記第１の比率が不変のままであること、
前記第１の比率が前記第２の比率よりも大きいこと、または
前記比率差が所定の値よりも大きいこと
のうちの１つのときに維持される方法。
【請求項２】
前記テスタデータパケット信号および前記ＤＵＴデータパケット信号の前記送信および受信は、ワイヤレス信号経路を介して前記テスタデータパケット信号および前記ＤＵＴデータパケット信号を送信および受信するステップを含む、請求項１に記載の方法。
【請求項３】
無線周波数（ＲＦ）データパケット信号送受信機の被試験デバイス（ＤＵＴ）を試験する方法であって、
テスタデータパケット信号をテスタから送信するステップであって、前記テスタデータパケット信号は、前記テスタから送信されたときに、互いに対して高い方の公称送信テスタデータパケット信号電力および低い方の公称送信テスタデータパケット信号電力の対応するインターバルを有する交互部分を備えた複数のテスタデータパケットを含むステップと、
ＤＵＴデータパケット信号をＤＵＴから前記テスタが受信するステップであって、前記ＤＵＴデータパケット信号は、前記複数のテスタデータパケットの前記交互部分の各１つに関係する部分を備えた複数のＤＵＴデータパケットを含み、
高い方の公称送信テスタデータパケット信号電力を有する前記複数のテスタデータパケットの前記交互部分に対する前記テスタが受信した複数のＤＵＴデータパケットの前記部分の第１の比率と、
低い方の公称送信テスタデータパケット信号電力を有する前記複数のテスタデータパケットの前記交互部分に対する前記テスタが受信した複数のＤＵＴデータパケットの前記部分の第２の比率と、
前記第１の比率と前記第２の比率との間の比率差と
が規定されるステップと、
前記複数のテスタデータパケットの前記交互部分と前記複数のＤＵＴデータパケットの前記部分との前記送信および受信を繰り返すステップと、
前記テスタが受信した複数のＤＵＴデータパケットであって、前記複数のテスタデータパケットの前記低い方の公称送信テスタデータパケット信号電力を有する前記交互部分に関係する複数のＤＵＴデータパケットの累積カウントを維持するステップと
を含み、
前記累積カウントは、少なくとも
前記第１の比率が１よりも小さくなること、
前記第１の比率が前記第２の比率よりも小さくなること、または
前記比率差が所定の値を超えること
のうちの１つになるまで維持される方法。
【請求項４】
前記テスタデータパケット信号および前記ＤＵＴデータパケット信号の前記送信および受信は、ワイヤレス信号経路を介して前記テスタデータパケット信号および前記ＤＵＴデータパケット信号を送信および受信するステップを含む、請求項３に記載の方法。
【請求項５】
無線周波数（ＲＦ）データパケット信号送受信機の被試験デバイス（ＤＵＴ）を試験する方法であって、
テスタデータパケット信号をテスタから送信するステップであって、前記テスタデータパケット信号は、前記テスタから送信されたときに、互いに対して高い方の公称送信テスタデータパケット信号電力および低い方の公称送信テスタデータパケット信号電力の対応するインターバルを有する交互部分を備えた複数のテスタデータパケットを含むステップと、
ＤＵＴデータパケット信号をＤＵＴから前記テスタが受信するステップであって、前記ＤＵＴデータパケット信号は、前記複数のテスタデータパケットの前記交互部分の各１つに関係する部分を備えた複数のＤＵＴデータパケットを含み、
高い方の公称送信テスタデータパケット信号電力を有する前記複数のテスタデータパケットの前記交互部分に対する前記テスタが受信した複数のＤＵＴデータパケットの前記部分の第１の比率と、
低い方の公称送信テスタデータパケット信号電力を有する前記複数のテスタデータパケットの前記交互部分に対する前記テスタが受信した複数のＤＵＴデータパケットの前記部分の第２の比率と、
前記第１の比率と前記第２の比率との間の比率差と
が規定されるステップと、
前記複数のテスタデータパケットの前記交互部分と前記複数のＤＵＴデータパケットの前記部分との前記送信および受信を繰り返すステップと
を含み、
前記繰り返すステップは、少なくとも
前記第１の比率が１よりも小さくなること、
前記第１の比率が前記第２の比率よりも小さくなること、または
前記比率差が所定の値を超えること
のうちの１つになるまで行われ、その後に、
低い方の公称送信テスタデータパケット信号電力を有する前記複数のテスタデータパケットの前記交互部分の前記送信が中止され、
高い方の公称送信テスタデータパケット信号電力を有する前記複数のテスタデータパケットの前記交互部分の前記送信が繰り返される方法。
【請求項６】
前記高い方の公称送信テスタデータパケット信号電力を有する前記複数のテスタデータパケットの前記交互部分の前記送信を繰り返すことは、１つまたは複数のＤＵＴデータパケットが前記テスタによって受信されるまで、高い方の公称送信テスタデータパケット信号電力を有する前記複数のテスタデータパケットの前記交互部分の前記送信を繰り返すことを含む、請求項５に記載の方法。
【請求項７】
前記高い方の公称送信テスタデータパケット信号電力を有する前記複数のテスタデータパケットの前記交互部分の前記送信を繰り返すことは、１つまたは複数のＤＵＴデータパケットが前記テスタによって受信されるまで、高い方の公称送信テスタデータパケット信号電力を有する前記複数のテスタデータパケットの前記交互部分の前記送信を繰り返し、その後に、前記複数のテスタデータパケットの前記交互部分および前記複数のＤＵＴデータパケットの前記部分の前記送信および受信を繰り返すステップを再開することを含む、請求項５に記載の方法。
【請求項８】
前記テスタデータパケット信号および前記ＤＵＴデータパケット信号の前記送信および受信は、ワイヤレス信号経路を介して前記テスタデータパケット信号および前記ＤＵＴデータパケット信号を送信および受信することを含む、請求項５に記載の方法。
【発明の詳細な説明】
【技術分野】
【０００１】
本発明は、無線周波数（ＲＦ）データパケット信号送受信機の試験に関し、特に、このようなデバイスのパケット誤り率（ＰＥＲ）を試験することに関する。
【背景技術】
【０００２】
今日の電子デバイスの多くは、接続性および通信の両方の目的のためにワイヤレス信号技術を使用する。ワイヤレスデバイスは電磁エネルギーを送受信するため、かつ２つ以上のワイヤレスデバイスは、信号周波数および電力スペクトル密度によって互いの動作に干渉する可能性があるため、これらのデバイスおよびワイヤレス信号技術は、様々なワイヤレス信号技術規格の仕様に準拠していなければならない。
【０００３】
このようなワイヤレスデバイスを設計する際、技術者は、このようなデバイスが、それぞれに含まれるワイヤレス信号技術規定の規格に基づいた仕様に確実に合致するか、または上回るように特に注意を払う。さらに、その後、これらのデバイスが量産される際、これらのデバイスは、製造上の欠陥が原因で動作不良を起こすことがないように、含まれるワイヤレス信号技術規格に基づいた仕様に確実に準拠していることも含めて試験される。
【０００４】
これらのデバイスを製造および組み立て後に試験するため、現行のワイヤレスデバイス試験システムは、通常、各被試験デバイス（ＤＵＴ）に試験信号を供給し、各ＤＵＴから受信された信号を分析するための試験サブシステムを採用する。一部のサブシステム（「テスタ」と呼ばれる場合が多い）は、少なくとも、ＤＵＴに送信されるソース信号を供給するためのベクトル信号発生器（ＶＳＧ）と、ＤＵＴによって生成された信号を分析するためのベクトル信号分析器（ＶＳＡ）とを含む。ＶＳＧによる試験信号の生成およびＶＳＡによって実行される信号の分析は、一般に、（例えば、内蔵のプログラマブルコントローラ、またはパーソナルコンピュータなどの外付けのプログラマブルコントローラを使用することにより）異なる周波数範囲、帯域幅、および信号変調特性を有する多様なワイヤレス信号技術規格への準拠に関して多様なデバイスの試験に使用できるようにそれぞれプログラム可能である。
【０００５】
このようなデバイスでは、デバイスの受信機の性能の１つの尺度は、パケット誤り率（ＰＥＲ）である。ＰＥＲは、通常、間違って受信されたパケットの数を、送信および受信されるはずであったパケットの総数で割ったパーセンテージとして表される。ワイヤレスデバイスの非リンク試験を実行する場合、受信試験データパケット信号を単一のチャネルに制限することができ、デバイスが異なるワイヤレスアクセスポイントを見つけようとすることによってＰＥＲ試験が損なわれることはない。しかしながら、リンク試験を実行するとき、試験環境は、デバイスによる動作を含む実際の動作上の挙動をシミュレートする。その場合、受信データパケットの電力が低くなり過ぎると、デバイスは異なるアクセスポイントの検索を開始する場合があり、通常、別の選択肢としての周波数またはチャネルでこれを行う。
【０００６】
このため、リンクに基づいたＰＥＲ試験中、受信データパケット信号電力は最悪の場合の性能を試験するために故意に低くされ、テスタが試験データパケット信号を送り続ける一方、ＤＵＴからの肯定応答信号を（ＰＥＲの計算のために）カウントするまさにそのときでも、ＤＵＴが異なるアクセスポイントの検索を開始し得る可能性がある。したがって、テスタは、ＤＵＴが別のアクセスポイントを検索する時間中にＤＵＴからの肯定応答パケットがないことをパケット誤りとして解釈することにより、ＰＥＲ試験結果を実際よりも高いものとして計算する場合がある。試験データパケットの信号電力が低下して、デバイス受信機の最低感度レベルに近づくにつれて、この問題が生じる可能性が一層大きくなる。
【発明の概要】
【発明が解決しようとする課題】
【０００７】
リンクに基づいたＰＥＲ試験中、ＤＵＴがアクセスポイントの検索を開始するのを防止することは可能であり得るが、このような試験技法では正常なドライバ動作を反映しない。それに応じて、ＰＥＲ試験の目的で特殊なドライバを含むようにＤＵＴを修正することが必要となる。したがって、テスタに関して言えば、ＤＵＴによってアクセスポイントの検索が開始されたときにそれを識別することが可能になり、これにより、この時間中の試験結果が容易に識別可能となるようにすることでそれらを無視できるようにして、これにより、正しいＰＥＲ結果が得られ、アクセスポイントの検索が進行中でないときに生じるパケット誤りのみを反映することが可能になる技術を有することが望まれる。
【課題を解決するための手段】
【０００８】
本明細書で特許請求される発明に従って、無線周波数（ＲＦ）データパケット信号送受信機の被試験デバイス（ＤＵＴ）を試験する方法であって、電力レベルが様々である試験データパケットが、ＤＵＴを試験するためにＤＵＴに送信される一方、依然としてＤＵＴが確実に受信（ＲＸ）モードにとどまったままであり、かつ別のデータパケット信号を検索するのを防止される、方法が提供される。あるいは、別のデータパケット信号の検索のためにＤＵＴが応答できなくなった場合、ＤＵＴによる受信を確実にするのに十分な信号電力レベルを有する複数の試験データパケットがＤＵＴに送信されて、ＤＵＴが別のデータパケット信号の検索を中止し、かつＲＸモードに戻るようにする。
【０００９】
本明細書で特許請求される発明の１つの実施形態に従って、無線周波数（ＲＦ）データパケット信号送受信機の被試験デバイス（ＤＵＴ）を試験する方法は、
テスタから送信されたときに、相互により高い公称送信テスタデータパケット信号電力およびより低い公称送信テスタデータパケット信号電力の対応するインターバルを有する部分が交互に存在する複数のテスタデータパケットを含む、テスタデータパケット信号をテスタから送信するステップと、
ＤＵＴからテスタで、複数のテスタデータパケットの交互に存在する部分のそれぞれの１つに関係する部分が交互に存在する複数のＤＵＴデータパケットを含む、ＤＵＴデータパケット信号を受信し、それにより、
テスタによって受信された複数のＤＵＴデータパケットの部分と、より高い公称送信テスタデータパケット信号電力を有する複数のテスタデータパケットの関係する部分との第１の比率、
テスタによって受信された複数のＤＵＴデータパケットの部分と、より低い公称送信テスタデータパケット信号電力を有する複数のテスタデータパケットの関係する部分との第２の比率、および
第１の比率と第２の比率との間の比率差
を規定するステップと、
複数のテスタデータパケットの交互に存在する部分および複数のＤＵＴデータパケットの交互に存在する部分の送信および受信を繰り返すステップと、
テスタによって受信され、かつより低い公称送信テスタデータパケット信号電力を有する複数のテスタデータパケットの部分に関係する複数のＤＵＴデータパケットの累積カウントを、少なくとも
第１の比率が１に等しいこと、
第１の比率が実質的に不変のままであること、
第１の比率が第２の比率よりも大きいこと、または
比率差が所定の値よりも大きいこと
のうちの１つのときに維持するステップと
を含む。
【００１０】
本明細書で特許請求される発明の別の実施形態に従って、無線周波数（ＲＦ）データパケット信号送受信機の被試験デバイス（ＤＵＴ）を試験する方法は、
テスタから送信されたときに、相互により高い公称送信テスタデータパケット信号電力およびより低い公称送信テスタデータパケット信号電力の対応するインターバルを有する部分が交互に存在する複数のテスタデータパケットを含む、テスタデータパケット信号をテスタから送信するステップと、
ＤＵＴからテスタで、複数のテスタデータパケットの交互に存在する部分のそれぞれの１つに関係する部分が交互に存在する複数のＤＵＴデータパケットを含む、ＤＵＴデータパケット信号を受信し、それにより、
テスタによって受信された複数のＤＵＴデータパケットの部分と、より高い公称送信テスタデータパケット信号電力を有する複数のテスタデータパケットの関係する部分との第１の比率、
テスタによって受信された複数のＤＵＴデータパケットの部分と、より低い公称送信テスタデータパケット信号電力を有する複数のテスタデータパケットの関係する部分との第２の比率、および
第１の比率と第２の比率との間の比率差
を規定するステップと、
複数のテスタデータパケットの交互に存在する部分および複数のＤＵＴデータパケットの交互に存在する部分の送信および受信を繰り返すステップと、
テスタによって受信され、かつより低い公称送信テスタデータパケット信号電力を有する複数のテスタデータパケットの部分に関係する複数のＤＵＴデータパケットの累積カウントを、少なくとも
第１の比率が１よりも小さくこと、
第１の比率が第２の比率よりも小さくなること、または
比率差が所定の値を超えること
のうちの１つになるまで維持するステップと
を含む。
【００１１】
本明細書で特許請求される発明の別の実施形態に従って、無線周波数（ＲＦ）データパケット信号送受信機の被試験デバイス（ＤＵＴ）を試験する方法は、
テスタから送信されたときに、相互により高い公称送信テスタデータパケット信号電力およびより低い公称送信テスタデータパケット信号電力の対応するインターバルを有する部分が交互に存在する複数のテスタデータパケットを含む、テスタデータパケット信号をテスタから送信するステップと、
ＤＵＴからテスタで、複数のテスタデータパケットの交互に存在する部分のそれぞれの１つに関係する部分が交互に存在する複数のＤＵＴデータパケットを含む、ＤＵＴデータパケット信号を受信し、それにより、
テスタによって受信された複数のＤＵＴデータパケットの部分と、より高い公称送信テスタデータパケット信号電力を有する複数のテスタデータパケットの関係する部分との第１の比率、
テスタによって受信された複数のＤＵＴデータパケットの部分と、より低い公称送信テスタデータパケット信号電力を有する複数のテスタデータパケットの関係する部分との第２の比率、および
第１の比率と第２の比率との間の比率差
を規定するステップと、
複数のテスタデータパケットの交互に存在する部分および複数のＤＵＴデータパケットの交互に存在する部分の送信および受信を、少なくとも
第１の比率が１よりも小さくなること、
第１の比率が第２の比率よりも小さくなること、または
比率差が所定の値を超えること
のうちの１つになるまで繰り返すステップであって、その後に、
より低い公称送信テスタデータパケット信号電力を有する複数のテスタデータパケットの部分の送信を中止するステップ、およびより高い公称送信テスタデータパケット信号電力を有する複数のテスタデータパケットの部分の送信を繰り返すステップ
が続く、ステップと
を含む。
【図面の簡単な説明】
【００１２】
【図１】導電性環境または有線環境にある無線周波数（ＲＦ）データパケット信号送受信機の被試験デバイス（ＤＵＴ）の典型的な試験環境を図示する。
【図２】放射性環境またはワイヤレス環境にある無線周波数（ＲＦ）データパケット信号送受信機の被試験デバイス（ＤＵＴ）の典型的な試験環境を図示する。
【図３】ＤＵＴがＡＰ検索を開始していないＰＥＲ試験を図示する。
【図４】試験データパケットの信号レベルが低下して、ＤＵＴによるＡＰ検索を開始した可能性があるＰＥＲ試験の一例を図示する。
【図５】本明細書で特許請求される発明の１つの実施形態に従った試験を図示する。
【図６】本明細書で特許請求される発明の別の実施形態に従ったＰＥＲ試験を図示する。
【図７】本明細書で特許請求される発明の別の実施形態に従ったＰＥＲ試験を図示する。
【図８】本明細書で特許請求される発明の別の実施形態に従ったＰＥＲ試験を図示する。
【発明を実施するための形態】
【００１３】
以下の詳細な説明は、添付図面を参照して、本明細書で特許請求される発明の例示的な実施形態を説明するものである。このような説明は、例示を意図するものであり、本発明の範囲に関して限定するものではない。このような実施形態は、当業者が主題となる本発明を実践することを可能にするように十分に詳細に説明され、また、主題となる本発明の趣旨または範囲から逸脱することなく、いくつかの変更を加えて他の実施形態が実践され得ることが理解されるであろう。
【００１４】
本開示の全体を通じて、文脈から反対のことが明示されない限り、説明される個々の回路素子の数は単数または複数であり得ることが理解されるであろう。例えば、用語「回路（ｃｉｒｃｕｉｔ）」および「回路（ｃｉｒｃｕｉｔｒｙ）」は、単一の構成要素または複数の構成要素のいずれを含んでもよく、それらは、能動的および／または受動的のいずれかであり、接続されるか、または別の方法で互いに結合されて（例えば、１つまたは複数の集積回路チップとして）、説明される機能を提供する。加えて、用語「信号」は、１つまたは複数の電流、１つまたは複数の電圧、またはデータ信号を指す場合がある。図面内では、類似または関係する要素は、類似または関係する英字、数字、または英数字の指示表記を有する。さらに、本発明は、ディスクリート電子回路（好ましくは、１つまたは複数の集積回路チップの形態における）を使用する実装形態に関連して説明されるが、そのような回路の任意の部分の機能も、信号周波数または処理されるデータレートに応じて、適切にプログラムされた１つまたは複数のプロセッサを使用して代替的に実施することができる。さらに、図が様々な実施形態の機能ブロック図を示す範囲で、その機能ブロックは、ハードウェア回路間の区分を必ずしも示すものではない。
【００１５】
携帯電話、スマートフォン、タブレットなどといったようなワイヤレスデバイスは、規格に基づいた技術（例えば、ＩＥＥＥ  ８０２．１１ａ／ｂ／ｇ／ｎ／ａｃ、３ＧＰＰ  ＬＴＥ、およびＢｌｕｅｔｏｏｔｈ（登録商標））を利用する。これらの技術の基礎となる規格は、信頼性の高いワイヤレス接続性および／または通信を供給するように設計される。規格は、一般に、ワイヤレススペクトルに隣接するか、またはワイヤレススペクトルを共有する同一のまたは他の技術を使用して、エネルギー効率が良く、デバイス間の干渉を最小限に抑えるように設計される物理仕様および高水準仕様を規定する。
【００１６】
これらの規格によって規定された試験は、このようなデバイスが規格に規定された仕様に適合するように設計されていること、および製造されたデバイスが引き続きそれらの規定された仕様に適合することを保証するように意図される。デバイスのほとんどは、少なくとも１つまたは複数の受信機および送信機を包含する送受信機である。このため、試験は、受信機および送信機の両方が適合しているかどうかを確認するように意図される。ＤＵＴの１つまたは複数の受信機の試験（ＲＸ試験）は、通常、受信機に試験パケットを送信する試験システム（テスタ）、およびＤＵＴ受信機が、それらの試験パケットにどのように応答するかを判定する何らかの方法が必要になる。ＤＵＴの送信機は、ＤＵＴの送信機にパケットを試験システムに送信させて、次にこの試験システムが、ＤＵＴによって送信された信号の物理的特性を評価することにより試験される。
【００１７】
以下により詳細に説明するように、正常に動作している受信機が肯定応答信号（ＡＣＫ）を確実に返信する電力レベルが存在する。非リンク試験中、こうした電力レベルでＤＵＴ受信機に送信された信号は、ＤＵＴから肯定応答データパケットを受信する。リンク関連の試験では、こうした電力レベルで送信された信号はまた、ＤＵＴによって受信されるようなパケットが欠陥（例えば、ＣＲＣ誤りを有するか、またはこれ以外の原因で正常に受信されない）でないか、または試験信号レベルが低いために、ＤＵＴが異なるアクセスポイントの検索を例えば異なる周波数で開始しない限り、肯定応答パケットを返信する。
【００１８】
本明細書で特許請求される発明に従って、いずれの時点でＤＵＴがアクセスポイントの検索を開始したかを判定するのに用いられるのは、ＤＵＴのこの挙動である。テスタは、ＰＥＲ試験結果が実際のパケット誤りに起因するか、またはそうではなく、アクセスポイントの検索を開始したＤＵＴ、したがって現在テスタとの通信に関与しないＤＵＴに起因するかを判定することができる。ＰＥＲが高くなった原因がアクセスポイントの検索の開始であれば、テスタは疑問の余地のある誤りを無視することにより、ＰＥＲ試験結果の精度を向上させることができる。
【００１９】
よく知られているように、ワイヤレスＤＵＴの試験は、通常、ＤＵＴの受信サブシステムおよび送信サブシステムの試験を含む。テスタは、様々な周波数、電力レベル、もしくは信号変調タイプを用いて、またはこれらのうちの２つ以上の組み合わせを用いて、試験データパケット信号の規定されたシーケンスをＤＵＴに送信し、ＤＵＴの受信サブシステムが正常に動作しているかどうかを判定する。同様に、ＤＵＴは、多様な周波数、電力レベル、もしくは変調タイプで、またはこれらのうちの２つ以上の組み合わせでＤＵＴデータパケット信号を送信し、ＤＵＴの送信サブシステムが正常に動作しているかどうかを判定する。
【００２０】
ＤＵＴの受信機を試験するための１つの方法は、様々な電力レベルで試験データパケット信号のシーケンスを送信しながら、各電力レベルにおいて、送信されたデータパケットの数および受信に成功した応答データパケットの数を常に監視することである。例えば、１００個のパケットが第１の電力レベルＰ１で送信され、９５個のパケットが正常に受信されれば、電力レベルＰ１におけるパケット誤り率は、１００個当たり５個（０．０５、すなわち５％）となる。
【００２１】
非リンク試験を用いて、すなわち、試験システムとＤＵＴとの間に規定されたリンクを確立するのではなく、直接ＤＵＴの受信機に信号を送信してＤＵＴを試験すると、パケット誤りの数は、確実に正常なデータパケットの受信に失敗したことが原因である。なぜなら、ＤＵＴ受信機は、指定されたチャネルおよび／または周波数でのみデータパケットを受信するようにプログラムされるからである。しかしながら、リンクに基づいた試験では、ＤＵＴは本質的に実際の日常状態で動作するように動作し、受信信号がそのＤＵＴの基本となるワイヤレス信号規格（例えば、ＩＥＥＥ８０２．１１ｘ、およびそのファームウェア／ＭＡＣ層のＤＵＴによる実施）によって規定された電力レベルの下限に近づくと、ＤＵＴは、異なるアクセスポイントの検索を開始する場合がある。
【００２２】
テスタがＤＵＴに試験データパケット信号を送信し、ＤＵＴがアクセスポイントの検索を行うときに、ＤＵＴは、応答データパケットを送信してテスタデータパケットの受信を確認することはない。なぜなら、ＤＵＴは、通常、意図されたテスタデータパケットが送信される周波数と異なる周波数で検索し、したがって、テスタデータパケットの電力レベルに関係なく応答しないからである。このような条件下では、テスタは、通常、このような肯定応答データパケットの欠如をパケット誤りとしてカウントし、これによりＰＥＲ試験結果が歪められる。
【００２３】
図１を参照すると、典型的な試験環境１０ａがテスタ１２およびＤＵＴ１６を含み、試験データパケット信号２１ｔおよびＤＵＴデータパケット信号２１ｄが、通常、同軸ＲＦケーブル２０ｃおよびＲＦ信号コネクタ２０ｔｃ、２０ｄｃの形態である導電性の信号経路を介して、テスタ１２とＤＵＴ１６との間で伝達されるＲＦ信号として交信される。上記で言及したように、テスタは、通常、送信（例えば、変調および高周波数変換）のためのテスタデータパケットを供給する信号ソース１４ｇ（例えば、ＶＳＧ）、およびＤＵＴ１６から（共有ＲＦ信号コネクタ２０ｔｃを介して）受信したデータパケットを受信（例えば、低周波数変換および復調）し、分析するための信号分析器１４ａ（例えば、ＶＳＡ）を含む。また、上記で説明したように、テスタ１２およびＤＵＴ１６は、所定の試験シーケンスに関する情報が予め読み込まれ、それらは、通常、テスタ１２内のファームウェア１４ｆおよびＤＵＴ１６内のファームウェア１８ｆに組み入れられる。さらに上記で言及したように、このファームウェア１４ｆ、１８ｆ内の所定の試験フローに関する詳細は、通常、テスタ１２とＤＵＴ１６との間の、典型的にはデータパケット信号２１ｔ、２１ｄを介した一定の形式の明示的な同期化を必要とする。
【００２４】
図２を参照すると、図２を参照すると、代替的な試験環境１０ｂがワイヤレス信号経路２０ｂを用いており、この信号経路を介して、試験データパケット信号２１ｔおよびＤＵＴデータパケット信号２１ｄがテスタ１２およびＤＵＴ１６のそれぞれのアンテナシステム２０ｔａ、２０ｄａを介して通信される。
【００２５】
図３を参照すると、（テスタ１２とＤＵＴ１６との間のリンクが確立された後の）典型的な試験では、テスタは、試験データパケット２３ｔを含んでいる試験データパケット信号２１ｔをＤＵＴに送信する。試験データパケット２３ｔがＤＵＴによって正常に受信された結果、ＤＵＴによってそのＤＵＴデータパケット信号２１ｄの一部として送信される応答データパケット２３ｄ（例えば、肯定応答、すなわちＡＣＫパケット）が生じる。同様に、次の試験データパケットにより、別の応答データパケットが生じる。しかしながら、３番目の試験データパケットは、応答データパケット２５の受信がない。同様に、８番目の試験データパケットも応答データパケットの受信がない。その結果、８個のテスタデータパケットが送信された後、６個が肯定応答され、２個は肯定応答されなかった。応答データパケットの受信のこれら２つの失敗は、確実にパケット誤りと見なすことができ、これにより、この場合のＰＥＲは８個中の２個、すなわち０．２５となる。
【００２６】
図４を参照すると、ここで、テスタデータパケット２３ｔは、低下したデータパケット電力レベルで送信される。上記で説明したように、これは、ＤＵＴに別のアクセスポイントの検索を開始させた可能性がある。したがって、３番目、４番目、および５番目のテスタデータパケットが応答データパケット２７の生成に失敗するのは、実際のパケット誤りが原因である可能性もあり、あるいはＤＵＴが別のアクセスポイントの検索に関与し、したがって、低下した電力レベルで送信されたテスタデータパケットを受信しないか、または送信されたテスタデータパケットに応答しないことが原因である可能性もある。テスタが、これらの肯定応答されない試験データパケットをパケット誤りとしてカウントする場合、それらが、実際にはＤＵＴが別のアクセスポイントを検索することに注意を逸らせていたことが原因であれば、得られたＰＥＲは、このとき実際にあるべきよりも高く示される。
【００２７】
図５を参照すると、本明細書で特許請求される発明に従って、起こり得るＤＵＴによるアクセスポイントの検索に起因するＰＥＲ試験結果に関する不確実性を回避することができる。試験データパケットの途切れのないシーケンスを送信するのではなく、電力の高い方の試験データパケット２３ｔａおよび電力の低い方の試験データパケット２３ｔｂの交互のシーケンスが、前者は常に応答データパケット２３ｄａを生成するはずであるが、後者は生成しない場合もあるという確信をもって送信される。電力の高い方の試験データパケット２３ｔａが応答データパケット２３ｄａによって肯定応答されなければ、ＤＵＴに欠陥があるか、またはＤＵＴがアクセスポイントの検索を開始したかのいずれかを示す。電力の高い方の試験データパケットが肯定応答される限り、電力の低い方の試験データパケットが肯定応答されないことは、すべて確実にパケット誤りとしてカウントすることができる。さらに、高電力でパケットを送信することにより、新たなアクセスポイントを検索する可能性が、高電力パケットが受信されるよりも低くなることにより、良好な接続を示す応答データパケットが生成されるようになる。
【００２８】
したがって、示されるように、電力の高い方のデータパケット２３ｔａが肯定応答データパケット２３ｄａを生成する。後続の電力の低い方のデータパケット２３ｔｂも肯定応答データパケット２３ｄｂを生成する。続いて、次の電力の高い方のデータパケット２３ｔｃは、肯定応答データパケット２３ｄｃを生成する。しかしながら、この後、次の電力の低い方の試験データパケット２３ｔｄは、肯定応答データパケット２３ｄｄを生成しない。次の電力の高い方の試験データパケット２３ｔｅは、肯定応答データパケット２３ｄｅを生成する。その結果、２個の電力の低い方の試験データパケット２３ｔｂ、２３ｔｄのうち、データパケット２３ｔｄのようなデータパケットにより、パケット誤り２３ｄｄが生じたと確実に結論を下すことが可能である。電力の高い方の試験データパケット２３ｔａ、２３ｔｃ、２３ｔｅは、すべて肯定応答データパケット２３ｄａ、２３ｄｃ、２３ｄｅを生成したため、ＤＵＴは別のアクセスポイントを検索しておらず、問題なく正常に受信した試験データパケットのすべてに応答可能であったと確実に結論を下すことも可能である。
【００２９】
図６を参照すると、本明細書で特許請求される発明の別の実施形態に従って、電力の高い方の試験データパケット２３ｔａが肯定応答データパケット２３ｄａを生成し、電力の低い方の試験データパケット２９ｔのシーケンスがその後に続く。これらの４個の電力の低い方の試験データパケット２９ｔのうち、２個が肯定応答され、２個が肯定応答されないことにより、２個の応答データパケット２９ｄのみが生成される。電力の低い方の試験データパケット２９ｔのこのシーケンスが送信された後、電力の高い方の試験データパケット２３ｔｆが送信され、肯定応答２３ｄｆされる。これは、ＤＵＴが受信モードのままとどまる（および例えば、別のアクセスポイントを検索しない）ことを示唆し、電力の低い方の試験データパケットのシーケンス２９ｔについてのＰＥＲ試験結果は信頼し得る。
【００３０】
続いて、４個の電力の低い方の試験データパケット３１ｔからなる別のセットが送信され、別の応答データパケットのシーケンス３１ｄを生成し、そこでは部分的な肯定応答のみが生じる。次に、別の電力の高い方の試験データパケット２３ｔｋが送信されるが、応答データパケット２３ｄｋを生成しない。このように応答データパケットを生成しないことは、少なくとも現在の信号周波数および／またはチャネルにおいてＤＵＴがもはや受信モードにはなく、むしろ、おそらく別のアクセスポイントの検索中であることを示唆する。その結果、この部分的な応答データパケット３１ｄのシーケンスが原因であるとされるＰＥＲ試験結果は、すべてそのまま無視してもよい。あるいは、ＰＥＲ試験の目的のために、欠落している応答データパケットのみを無視してもよい。
【００３１】
図７を参照すると、本明細書で特許請求される発明の別の実施形態に従って、電力の高い方の試験データパケット２３ｔａが送信され、肯定応答２３ｄａされる。次に、４個の電力の低い方の試験データパケット２３ｔｂが送信され、２個が肯定応答され、２個は応答データパケット３１ｄが生じない。後続の電力の高い方の試験データパケット２３ｔｆも応答データパケット２３ｄｆを生成しない。このため、先の例と同様に、これらの結果によって示された明らかなパケット誤りは無視してもよい。なぜなら、ＤＵＴが別のアクセスポイントを検索することに注意を逸らせていた可能性があるからである。しかしながら、電力の高い方の試験データパケット２３ｔｆが送信された後、応答データパケット２３ｄｆの生成がないと、データパケット２３ｔｊのようなデータパケットが応答データパケット２３ｄｊを生成するまで、テスタは、電力の高い方の試験データパケット２３ｔｇのみを繰り返し送信するように促される。この応答データパケット２３ｄｊの受信に続いて、テスタは、次に、電力の低い方の試験データパケットのシーケンス３３ｔの送信を再開し、受信および返信された応答データパケット３３ｄのカウントを維持する。次に、後続の電力の高い方の試験データパケット２３ｔｏが応答データパケット２３ｄｏを生成するため、電力の低い方の試験データパケット３３ｔのこのシーケンス、および応答データパケット３３ｄの中で生じた欠落している１個の肯定応答が、ＰＥＲ試験の目的のために信頼できると見なされる（容易に認識されるように、この例で４個の電力の低い方の試験データパケットを用いるのは、単に例示に過ぎない。このような電力の低い方の試験データパケットのシーケンスは、所望または必要に応じて、これよりも多いまたは少ないパケットを含むことができる）。
【００３２】
図８を参照すると、さらなる例示的な実施形態に従って、電力の高い方の試験データパケット２３ｔａを既定のインターバルまたは設定インターバルＮで送信するのではなく（例えば、この場合、Ｎ＋１個のデータパケットごとに１個が、たとえパケット誤りが生じなくてもＰＥＲ試験の目的では使用されない）、その代わりに、欠落している応答試験データパケットの数に基づいて電力の高い方の試験データパケットを開始することにより、高効率化を実現することができる。例えば、ここに示されるように、３個の連続した電力の低い方の試験データパケット２３ｔｂが肯定応答されなければ、テスタは、ＤＵＴがもはや受信しない可能性があると仮定し、したがって、電力の高い方の試験データパケット２３ｔｇを送信し、ＤＵＴが実際には依然として受信することを示す応答データパケット２３ｄｇを生成する。
【００３３】
それに応じて、応答データパケットがその間受信されない新たなインターバル３５ｄまで、電力の低い方の試験データパケット２３ｔｈの送信が再開される。次に、別の電力の高い方の試験データパケット２３ｔｍが送信されるが、応答データパケットを生成しない。このため、テスタは、応答データパケット２３ｄｍが最終的に受信されるまで、電力の高い方の試験データパケット２３ｔｍを送信し続ける。しかしながら、応答データパケットを生成しない電力の高い方の試験データパケット２３ｔｍの送信は、ＤＵＴが新たなアクセスポイントを走査し、さらに現在の周波数および／またはチャネルに戻る時間を有するような継続時間であってはならない。しかしながら、このようなシナリオの可能性は低い。なぜなら、テスタは、生成された試験データパケットの周波数を制御するからである。
【００３４】
試験データパケットの電力レベルが同じ電力レベルを有する必要がないことが容易に認識されるであろう。さらに、５０％のＰＥＲをもたらすことが見込まれる電力レベルで試験データパケットを送信することが有利な場合がある。なぜなら、このような電力レベルは、通常、試験データパケット１個おきに返信される応答データパケットを結果として生じることにより、受信機感度の判定が迅速化されるからである（このような技術は、米国特許出願第１３／９５９，３５４号明細書により詳細に記載されており、その開示内容が参照により本明細書に組み込まれる）。
【００３５】
加えて、この方法を非リンク試験に適用して、ＤＵＴが突然応答しなくなるかどうかを判定することも可能である。このような方法により、ＤＵＴが（例えば、ソフトウェアの命令発行により）動作を停止したとき、テスタを試験から早期に退出させることが可能になる。これにより実現される利益の１つは、完全なテストランまたは時間切れの条件を待つのではなく、早期に試験から退出することで試験時間が短縮されることである。
【００３６】
本発明の範囲および趣旨から逸脱することなく、本発明の動作の構造および方法における様々な他の修正形態および変更形態が当業者に明らかであろう。本発明は、特定の好適な実施形態に関連して説明されているが、特許請求の範囲に記載された本発明は、そのような特定の実施形態に不当に限定されるべきではないことを理解されたい。以下の特許請求の範囲は、本発明の範囲を規定するものであり、これらの特許請求の範囲およびその均等物の範囲内の構造および方法が特許請求の範囲によって包含されることが意図される。
【図１】
0006803345.tif 000002
【図２】
0006803345.tif 000003
【図３】
0006803345.tif 000004
【図４】
0006803345.tif 000005
【図５】
0006803345.tif 000006
【図６】
0006803345.tif 000007
【図７】
0006803345.tif 000008
【図８】
0006803345.tif 000009